【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
遊技者が操作可能な操作手段と、
前記特定遊技状態に制御するか否かを、識別情報の表示結果が導出表示される以前に決定する事前決定手段と、
該事前決定手段による決定に基づいて、前記変動表示部において、識別情報の変動表示が開始されてから表示結果が導出表示されるまでに一旦非特定表示結果となる識別情報を仮停止させた後に変動表示を再度実行する再変動を１回または複数回実行する再変動表示を行なう再変動表示パターンを含む予め定められた複数種類の識別情報の変動表示パターンの中から１つの変動表示パターンを選択する変動表示パターン選択手段と、
該変動表示パターン選択手段が選択した変動表示パターンに基づいて、識別情報の変動表示を実行する変動表示実行手段と、
前記変動表示パターン選択手段により前記再変動表示パターンが選択されたときの識別情報の変動表示において、前記特定遊技状態となることを予告する予告演出を実行可能な状態とするか否かを選択するとともに、前記予告演出を実行するときの予告演出態様を複数種類の予告演出態様の中から選択する予告演出選択手段と、
該予告演出選択手段により前記予告演出を実行可能な状態とする選択がされたときに、前記複数種類の予告演出態様の中から第１の予告演出態様が選択されたときには、前記再変動表示パターンで実行される変動表示中において前記操作手段が操作されたことを条件として、選択された第１の予告演出態様で予告演出を実行し、前記複数種類の予告演出態様の中から第２の予告演出態様が選択されたときには、前記再変動表示パターンで実行される変動表示中において、選択された第２の予告演出態様で予告演出を実行する予告演出実行手段とを備え、
前記第２の予告演出態様で実行される予告演出は、前記再変動表示パターンでの各再変動において第１段階の予告ステップから複数段階のうちいずれの段階の予告ステップまで予告ステップを発展させるかが選択されるステップアップ予告演出であり、
前記予告演出選択手段は、前記変動表示パターン選択手段により選択された前記再変動表示パターンで実行される再変動の回数に応じて、前記複数種類の予告演出態様を異なる選択割合で選択することを特徴とする、遊技機。
【手続補正２】
【補正対象書類名】明細書
【補正対象項目名】０００８
【補正方法】変更
【補正の内容】
【０００８】
（１）  各々が識別可能な複数種類の識別情報（演出図柄）を変動表示する変動表示部（演出表示装置９）を備え、該変動表示部に導出表示された識別情報の表示結果が予め定められた特定表示結果（大当り図柄）となったときに、遊技者にとって有利な特定遊技状態（大当り遊技状態）に制御する遊技機（パチンコ遊技機１）であって、
遊技者が操作可能な操作手段（操作ボタン３０）と、
前記特定遊技状態に制御するか否かを、識別情報の表示結果が導出表示される以前に決定する事前決定手段（遊技制御用マイクロコンピュータ５６０、図３５のＳ６１）と、
該事前決定手段による決定に基づいて、前記変動表示部において、識別情報の変動表示が開始されてから表示結果が導出表示されるまでに一旦非特定表示結果となる識別情報を仮停止させた後に変動表示を再度実行する再変動を１回または複数回実行する再変動表示を行なう再変動表示パターン（擬似連の演出を含む変動パターン）を含む予め定められた複数種類の識別情報の変動表示パターン（変動パターン）の中から１つの変動表示パターンを選択する変動表示パターン選択手段（遊技制御用マイクロコンピュータ５６０、図３６のＳ１０１〜Ｓ１０５）と、
該変動表示パターン選択手段が選択した変動表示パターンに基づいて、識別情報の変動表示を実行する変動表示実行手段（演出制御用マイクロコンピュータ１００、図７９のＳ５１８〜Ｓ５２１および図８５のＳ８４１〜Ｓ８４５）と、
前記変動表示パターン選択手段により前記再変動表示パターンが選択されたときの識別情報の変動表示において、前記特定遊技状態となることを予告する予告演出を実行可能な状態とするか否かを選択するとともに、前記予告演出を実行するときの予告演出態様を複数種類の予告演出態様の中から選択する予告演出選択手段（演出制御用マイクロコンピュータ１００、図７９のＳ５１６ａ、図８１のＳ５３２〜Ｓ５３３）と、
該予告演出選択手段により前記予告演出を実行可能な状態とする選択がされたときに、前記複数種類の予告演出態様の中から第１の予告演出態様（ボタン予告）が選択されたときには、前記再変動表示パターンで実行される変動表示中において前記操作手段が操作されたことを条件として、選択された第１の予告演出態様で予告演出を実行し（図８７のＳＴ１５，ＳＴ１６ａ）、前記複数種類の予告演出態様の中から第２の予告演出態様（ステップアップ予告）が選択されたときには、前記再変動表示パターンで実行される変動表示中において、選択された第２の予告演出態様で予告演出を実行する（図８８のＳＴ１６ｂ）予告演出実行手段（演出制御用マイクロコンピュータ１００、図７９のＳ５２０、図８５のＳ８４５、図８７のＳＴ１５，ＳＴ１６ａ，図８８のＳＴ１６ｂ）とを備え、
前記第２の予告演出態様で実行される予告演出は、前記再変動表示パターンでの各再変動において第１段階の予告ステップから複数段階のうちいずれの段階の予告ステップまで予告ステップを発展させるかが選択されるステップアップ予告演出であり、
前記予告演出選択手段は、前記変動表示パターン選択手段により選択された再変動表示パターンで実行される再変動の回数に応じて、前記複数種類の予告演出態様を異なる選択割合で選択する（図６７（Ａ），（Ｂ）で擬似連の合計回数（２回、３回）に応じて各段階の変動での予告演出に必要なテーブルを選択する。図６８および図６９のように、擬似連の合計変動回数（２回、３回）に応じて選択されるテーブルは、予告メッセージの選択割合が異なる）。
【手続補正３】
【補正対象書類名】明細書
【補正対象項目名】０００９
【補正方法】変更
【補正の内容】
【０００９】
このような構成によれば、再変動表示パターンで実行される変動表示中において操作手段が操作されたことを条件として、選択された予告演出態様で予告演出が実行されるので、遊技に対する遊技者の参加意欲を増加させることができる。また、特定遊技状態に制御するか否かの決定に基づいて、再変動表示パターンを含む変動表示パターンが選択される。そして、複数種類の予告演出態様の中から第１の予告演出態様が選択されたときには、再変動表示パターンで実行される変動表示中において操作手段が操作されたことを条件として、選択された第１の予告演出態様で予告演出が実行される。また、複数種類の予告演出態様の中から第２の予告演出態様が選択されたときには、選択された第２の予告演出態様で予告演出が実行される。操作手段が操作されたことを条件として実行される予告演出については、再変動表示パターンで実行される再変動の回数に応じて、複数種類の予告演出態様が異なる選択割合で選択される。これにより、遊技に対する遊技者の参加意欲を増加させること、再変動表示における再変動の回数に対する遊技者の期待感を高めること、および、再変動表示に関する演出のバリエーションを増加させることにより、再変動表示に関する演出の面白みを向上させ、遊技の興趣を向上させることができる。